(57)【要約】【課題】簡単な回路構成でノイズに強く、短時間でスキャンが可能な盗聴器検出器を提供する。【解決手段】検出部にて検出された受信レベルが一定値以下の場合は、切り替え部１０７が、トランジスタＴＲ６をオンに切り替え、キャパシタＣ１の充電を電流ＩＣ３とＩＣ４で充電する。受信レベルが一定値以上の場合は、切り替え部１０７が、トランジスタＴＲ６をオフに切り替え、キャパシタＣ１の充電を電流ＩＣ３のみで充電する。【選択図】図４
2008236555.tif 000002
【特許請求の範囲】
【請求項１】
特定音を発信し、受信音が自ら発した特定音か否かを判断する盗聴器検出器であって、
電波信号の受信レベルを検出する検出部と、
上記電波信号の周波数をスキャンするスキャン部と、
上記スキャン部のスキャン速度を切り替える切り替え部と、
を有し、
上記切り替え部は、
上記受信レベルに応じて、上記スキャン部のスキャン速度を切り替える
盗聴器検出器。
【請求項２】
上記スキャン部は、
電流供給ノードに接続されたキャパシタを含み、
上記切り替え部は、
上記電流供給ノードに接続された少なくとも一つの電流源を含み、
上記受信レベルが一定値以上の場合には、当該受信レベルが一定値以下の場合より上記電源供給ノードに供給する電流を少なくする
請求項１記載の盗聴器検出器。
【請求項３】
上記スキャン部は、
上記電流供給ノードに接続された第１の電流源を含み、
上記切り替え部は、
上記電流供給ノードに接続された第２の電流源と、
上記第２の電流源が生成する電流を供給させるか否かを切り替えるスイッチと、を含み、
上記受信レベルが一定値以下の場合は、上記スイッチをオンに切り替えて上記第１および第２の電流源の電流を供給し、一定値以上の場合は、上記スイッチをオフに切り替えて上記第１の電流源の電流のみを供給する
請求項２記載の盗聴器検出器。
【請求項４】
上記スキャン部は、
上記キャパシタが所定の充電電圧に達したか否かを判断する電圧比較部を含み、
上記キャパシタが所定の充電電圧に達した時、当該キャパシタの電圧を所定の電圧にリセットする
請求項１から３のいずれか一つに記載の盗聴器検出器。
【発明の詳細な説明】
【技術分野】
【０００１】
本発明は、盗聴器の発する電波信号を検知して盗聴器を検出する盗聴器検出器に関するものである。
【背景技術】
【０００２】
盗聴器が発する電波信号を検出して盗聴器の有無を判断する盗聴器検出器や、スピーカを有し、そのスピーカから発せられた音波信号が電波信号として発せられていることを検出して、盗聴器を検知する盗聴器検出器が知られている（たとえば、特許文献１を参照）。
【０００３】
図１は、従来の盗聴器検出器の構成例を示すブロック図である。
【０００４】
図１の盗聴器検出器１０は、広範囲の周波数に渡って所望の周波数の電波を受信できる広域帯受信機１１、特定の音波信号を発生する音波出力部１２、広域帯受信機１１の音声出力信号と音波出力部から発せられた音波信号が一致するか否かを判断する判定器１３で構成されている。
【０００５】
また、広域帯受信機１１は、電波を受信する受信アンテナ１１−１、受信アンテナ１１−１から入力された信号を増幅する高周波増幅器１１−２、マイクロコンピュータ１１−７、マイクロコンピュータ１１−７によって設定された周波数の信号を発生する位相同期回路（ＰＬＬ；Phase-locked loop、以後ＰＬＬと記す）１１−６、高周波増幅器１１−２の出力とＰＬＬ１１−６の出力を混合して中間周波数信号を生成する混合器１１−３、混合器１１−３の出力から中間周波数信号以外の信号を除去し、中間周波数を増幅する中間周波数増幅器１１−４、および中間周波数増幅器１１−４の出力を復調して音声信号に変換する検波器１１−５で構成されている。
【０００６】
音波出力部１２は、特定の信号を発生する信号発生器１２−１、信号発生器１２−１から出力された信号を音波信号に変換するスピーカ１２−２で構成されている。
【０００７】
さらに、ＰＬＬ１１−６は、基準周波数信号を出力する基準発振器１１−６４、基準発振器１１−６４の基準周波数信号を所定数に分周する分周器１１−６３、分周器１１−６３の出力信号と可変分周器１１−６５の位相とを比較して、その位相差を電圧変化として出力する位相比較器１１−６２、位相比較器１１−６２の出力電圧によって発振周波数が変化する電圧制御発振器（ＶＣＯ；Voltage Controlled Oscillator、以後ＶＣＯと記す）１１−６１、ＶＣＯ１１−６１の出力信号をマイクロコンピュータ１１−７によって設定された分周比に分周する可変分周器１１−６５で構成されている。
【０００８】
次に、盗聴器検出器１０の動作について説明する。
【０００９】
盗聴器検出器１０は、所定の周波数の信号を音波信号としてスピーカ１２−２を介して出力する。盗聴器２０のマイクロフォン２２が、その音声信号を受信し、電波信号としてアンテナ２１を介して出力する。そして、広域帯受信機１１は、マイクロコンピュータ１１−７によって設定された特定周波数を復調して音声信号として判定器１３に出力する。判定器１３は、入力された音声信号が信号発生器１２−１から出力された信号と一致しているか否かを判定する。
【００１０】
設定する周波数は、あらかじめ特定周波数(盗聴に使用されている既知の周波数)がマイクロコンピュータ１１−７に記憶されている。この記憶されている周波数を順次切り替えて（スキャン）、盗聴器検出器１０は、盗聴器２０の検出を行う。
【００１１】
【特許文献１】特開２０００−３３２６３５号公報
【発明の開示】
【発明が解決しようとする課題】
【００１２】
これを解決手段として、特許文献１のような盗聴器検出器が提案されている。しかし、ほとんどの盗聴器は、ＵＨＦ（４００ＭＨｚ付近が多い）の高周波の搬送波を用いて、±２０ｋＨｚ程度の狭い占有周波数で送信している。
【００１３】
このように、搬送波に対して占有周波数が狭いので、受信のためには周波数同調の高い安定度が要求される。よって、特許文献１のように受信機としてＰＬＬを用いた高度な受信機が用いられている。
【００１４】
また、図１に示すような盗聴器検出器は、広域帯の電波信号を受信し、ラジオのＦＭ（Frequency Modulation）放送に使われている周波数よりもさらに細かく周波数を分割しなければならない。そのため、スキャン時間が長くなる。また、盗聴器検出器の回路構成が複雑になる。
【００１５】
本発明の目的は、簡単な回路構成でノイズに強く、短時間でスキャンが可能な盗聴器検出器を提供することにある。
【課題を解決するための手段】
【００１６】
本発明の盗聴器検出器は、特定音を発信し、受信音が自ら発した特定音か否かを判断する盗聴器検出器であって、電波信号の受信レベルを検出する検出部と、上記電波信号の周波数をスキャンするスキャン部と、上記スキャン部のスキャン速度を切り替える切り替え部と、を有し、上記切り替え部は、上記受信レベルに応じて、上記スキャン部のスキャン速度を切り替える。
【００１７】
好適には、上記スキャン部は、電流供給ノードに接続されたキャパシタを含み、上記切り替え部は、上記電流供給ノードに接続された少なくとも一つの電流源を含み、上記受信レベルが一定値以上の場合には、当該受信レベルが一定値以下の場合より上記電源供給ノードに供給する電流を少なくする。
【００１８】
好適には、上記スキャン部は、上記電流供給ノードに接続された第１の電流源を含み、上記切り替え部は、上記電流供給ノードに接続された第２の電流源と、上記第２の電流源が生成する電流を供給させるか否かを切り替えるスイッチと、を含み、上記受信レベルが一定値以下の場合は、上記スイッチをオンに切り替えて上記第１および第２の電流源の電流を供給し、一定値以上の場合は、上記スイッチをオフに切り替えて上記第１の電流源の電流のみを供給する。
【００１９】
好適には、上記スキャン部は、上記キャパシタが所定の充電電圧に達したか否かを判断する電圧比較部を含み、上記キャパシタが所定の充電電圧に達した時、当該キャパシタの電圧を所定の電圧にリセットする。
【発明の効果】
【００２０】
本発明によれば、簡単な回路構成の盗聴器検出器で、ノイズに強く、スキャン時間を短縮できる。
【発明を実施するための最良の形態】
【００２１】
以下、本発明の実施形態を図面に関連づけて説明する。
【００２２】
図２は、本発明に係る盗聴器検出器の一実施形態を示すブロック図である。
【００２３】
図２の盗聴器検出器１００は、受信アンテナ１０１、受信回路１０２、バンドパスフィルタ１０３、検波器１０４、マイクロコンピュータ１０５、切り替え部１０７、スキャン部１０６、ＶＣＯ１０８、信号発生器１０９、スピーカ１１０、および報知部１１１を有する。さらに、受信回路１０２は、高周波増幅器１０２１、混合器１０２２、中間周波数増幅器１０２３、検出部１０２４、および検波器１０４ａで構成されている。
【００２４】
また、盗聴器２００は、アンテナ２０１、およびマイクロフォン２０２を有する。
【００２５】
次に、盗聴器検出器１００の各構成部について、図２を参照しながら説明する。
【００２６】
受信アンテナ１０１は、盗聴器２００が発信している電波信号を受信し、電波信号を受信回路１０２の高周波増幅器１０２１に出力する。
【００２７】
高周波増幅器１０２１は、受信アンテナ１０１が受信した電波信号が入力され、高周波の信号（たとえば４００ＭＨｚ程度）を増幅して混合器１０２２に出力する。
【００２８】
混合器１０２２は、高周波増幅器１０２１によって増幅された電波信号と、ＶＣＯ１０８が発振する所定周波数の信号とが入力され、周波数の異なる２つの信号を掛け合わせて混合し、中間周波数増幅器１０２３に出力する。
【００２９】
中間周波数増幅器１０２３は、混合器１０２２から入力された信号の内、中間周波数成分（たとえば１０．７MHｚ）のみを増幅し、信号を検波器１０４ａに出力する。
【００３０】
検波器１０４ａは、中間周波数増幅器１０２３から入力された信号を復調して音声信号を取り出し、バンドパスフィルタ１０３に出力する。
【００３１】
検出部１０２４は、中間周波数増幅器１０２３における信号の受信レベルを検出し、マイクロコンピュータ１０５に出力する。
【００３２】
バンドパスフィルタ１０３は、受信回路１０２の検波器１０４ａから入力された音声信号から特定の周波数成分（たとえば１ｋＨｚ）を取りだし、検波器１０４に出力する。
【００３３】
検波器１０４は、バンドパスフィルタ１０３から音声信号が入力され、この音声信号から特定周波数の振幅の大きさを検出し、マイクロコンピュータ１０５に出力する。
【００３４】
マイクロコンピュータ１０５は、検波器１０４から音声信号が、検出部１０２４から信号の受信レベルが、スキャン部１０６から制御信号がそれぞれ入力され、これらの信号や受信レベルに応じて、スキャン部１０６、切り替え部１０７、信号発生器１０９、および報知部１１１を制御する。
なお、マイクロコンピュータ１０５が行うスキャン部１０６、および切り替え部１０７の制御については後述する。
【００３５】
スキャン部１０６は、第１の電流源と、電流供給ノードに接続され、第１の電流源が生成する電流によって充電されるキャパシタと、この電流供給ノードの電圧を所定の電圧（たとえば接地電位）にリセットするスイッチと、電流供給ノードの電圧と所定の電圧とを比較し、電流供給ノードの電圧が所定の電圧に達したか否かを判断する電圧比較部とを有する。
【００３６】
スキャン部１０６は、第１の電流源と、切り替え部１０７が有し、オンまたはオフに切り替えられる第２の電流源とを用いて、キャパシタを充電する。そして、スキャン部１０６は、電圧比較部にて、電流供給ノードの電圧と基準電圧とを比較し、電流供給ノードの電圧が基準電圧に達した時に、キャパシタの電圧を所定電圧（たとえば接地電位）にリセットする。
【００３７】
また、スキャン部１０６は、キャパシタの電圧が所定電圧にリセットされるまでの期間、電流供給ノードの電圧をＶＣＯ１０８に出力する。
【００３８】
切り替え部１０７は、電流供給ノードに接続されたキャパシタを充電するための第２の電流源を有する。また、第２の電流源には、マイクロコンピュータ１０５からの制御信号に従って、オンもしくはオフに切り替えられるスイッチが接続されている。
【００３９】
また、切り替え部１０７は、マイクロコンピュータ１０５から制御信号が入力され、検出部１０２４にて検出される受信レベルが一定値以下の場合は、スイッチをオンに切り替える。受信レベルが一定値以上の場合は、スイッチをオフに切り替える。
【００４０】
ＶＣＯ１０８は、スキャン部１０６から電流供給ノードの電圧が入力され、盗聴器検出器１００が電波信号を安定して受信するために、スキャン部１０６からの入力電圧に応じた周波数で発振し、所定周波数の信号を混合器１０２２に出力する。
【００４１】
信号発生器１０９は、マイクロコンピュータ１０５からの制御信号によって、所定周波数（たとえば可聴周波数帯域）の音声信号を生成し、スピーカ１１０に出力する。
【００４２】
スピーカ１１０は、信号発生器１０９から入力された音声信号に基づいて、音波信号を発信する。
【００４３】
報知部１１１は、マイクロコンピュータ１０５から制御信号が入力され、所定の情報を報知する。報知部１１１は、たとえば盗聴器２００の検出結果等の情報を表示装置（たとえばランプ、画像や字情報等を表示するディスプレイ）やブザー等を用いて報知する。
【００４４】
次に、盗聴器検出器１００の動作について説明する。本盗聴器検出器１００は、特定周波数の音波信号をスピーカ１１０で発信させながら、受信した電波信号の周波数をスキャンする。盗聴器検出器１００が発信した音波信号が、盗聴器２００が発信している電波によって搬送されていないかを調べることで、本盗聴器検出器１００が、盗聴器２００の有無を判断するものである。
【００４５】
はじめに、盗聴器検出器１００は、特定周波数の音波信号をスピーカ１１０を用いて発信する。盗聴器２００は、盗聴器検出器１００からの音波信号をマイクロフォン２０２で取得し、その音波信号で搬送波の高周波を変調して、アンテナ２０１を介して送出する。
【００４６】
盗聴器検出器１００は、受信アンテナ１０１で受信した電波信号を受信回路１０２にて電波信号から音声信号に復調する。また、盗聴器検出器１００は、電波信号の受信レベルを検出する。
【００４７】
次に、受信回路１０２の動作について説明する。
【００４８】
高周波増幅器１０２１は、高周波信号を増幅し、混合器１０２２は、この増幅された高周波信号とＶＣＯ１０８が出力する所定周波数の信号とを掛け合わせる。
【００４９】
そして、ＶＣＯ１０８は、スキャン部１０６の制御信号に基づいて、所定周波数の信号を生成する。
【００５０】
ここで、切り替え部１０７の制御によってスキャン部１０６がスキャンし、ＶＣＯ１０８が所定周波数の信号を混合器１０２２に出力するまでの動作について説明する。
【００５１】
切り替え部１０７は、マイクロコンピュータ１０５の制御信号に基づいて、スイッチをオンまたはオフに切り替える。
【００５２】
検出部１０２４にて検出された受信レベルが一定値以下の場合は、切り替え部１０７は、スイッチをオンに切り替える。電波信号の受信レベルが一定値以上の場合は、切り替え部１０７は、スイッチをオフに切り替える。
【００５３】
スキャン部１０６は、マイクロコンピュータ１０５の制御信号と、切り替え部１０７のスイッチの切り替えに応じて、低速または通常のスキャン速度でスキャンする。
【００５４】
切り替え部１０７のスイッチがオンの場合は、スキャン部１０６は、キャパシタを第１および第２の電流源で充電する（通常のスキャン速度）。切り替え部１０７のスイッチがオフの場合は、スキャン部１０６は、キャパシタを第１の電流源のみで充電する（低速スキャン）。
【００５５】
そして、スキャン部１０６は、電流供給ノードの電圧が所定の電圧に達するまで、スキャンを行い、電流供給ノードの電圧をＶＣＯ１０８に出力する。
【００５６】
ＶＣＯ１０８は、スキャン部１０６の出力電圧に応じて、所定の周波数の信号を生成し、混合器１０２２に出力する。
【００５７】
このようにして、ＶＣＯ１０８は、混合器１０２２に所定周波数の信号を出力する。
【００５８】
中間周波数増幅器１０２３は、混合器１０２２から入力され、掛け合わされた信号から、中間周波数成分の信号を取り出して検波器１０４ａと検出部１０２４とに出力する。
【００５９】
検波器１０４ａは、中間周波数の信号を復調して音声信号を取り出し、バンドパスフィルタ１０３に出力する。また、検出部１０２４は、中間周波数の信号の受信レベルを検出し、検出結果をマイクロコンピュータ１０５に出力する。
【００６０】
つづいて、バンドパスフィルタ１０３は、検波器１０４ａにて検波された音声信号から特定の周波数成分を取りだし、検波器１０４に出力する。そして、検波器１０４は、音声信号に含まれる特定周波数の振幅の大きさを検波し、マイクロコンピュータ１０５に出力する。
【００６１】
マイクロコンピュータ１０５は、検波器１０４が出力する電圧で盗聴器２００の有無を判断する。この電圧により、盗聴器２００が検出された場合は、マイクロコンピュータ１０５は、検出したことを報知するように報知部１１１を制御する。盗聴器２００が検出されない場合は、マイクロコンピュータ１０５は、連続してスキャンするようにスキャン部１０６および切り替え部１０７を制御する。
【００６２】
以上に述べたように、本盗聴器検出器１００は、スピーカ１１０で発信させる同調周波数を連続的に変化させながらスキャンを行う。そのため、ＶＣＯ１０８の発振周波数は固定される必要がない。
【００６３】
しかし、本実施形態では、図２に示すバンドパスフィルタ１０３で音声信号から特定の周波数の成分を取り出す際の時間幅が十分でないとスキャンに影響を与えるという問題がある。これは、音声信号の振幅が一定値に達するまでに所定時間を要するからである。
【００６４】
次に、上記に述べたバンドパスフィルタ１０３における問題点について説明する。
【００６５】
図３は、音声信号がバンドパスフィルタ１０３を通過する際の、波形の変化を説明するための図である。図３（Ａ）、（Ｃ）は、バンドパスフィルタ１０３を通過する前の入力信号の波形を、図３（Ｂ）、（Ｄ）は、図３（Ａ）、（Ｃ）の入力信号がそれぞれバンドパスフィルタ１０３を通過した後の出力信号の波形を示す。なお、バンドパスフィルタ１０３の通過周波数を１ｋＨｚ、受信回路１０２の検波器１０４ａ（図２を参照）から出力される音声信号の周波数を１ｋＨｚとする。
【００６６】
本盗聴器検出器１００において、受信した電波信号の周波数をスキャンする際に、スキャン周波数が盗聴器２００の発振周波数を通過する期間だけ、音声信号に復調される。したがって、検波器１０４ａが出力する音声信号の波形は、バースト状となる。
【００６７】
盗聴器２００が発する電波信号は、受信回路１０２にて１ｋＨｚの音声信号に復調され、１ｋＨｚのバンドパスフィルタ１０３を通過し、その音声信号の振幅の大きさから、マイクロコンピュータ１０５にて、１ｋＨｚの音声成分の有無を判断する。
【００６８】
バンドパスフィルタ１０３は、図３（Ａ）に示すような波形の入力信号が入力されると、図３（Ｂ）のような波形の信号を出力する。この時、出力信号の波形に鈍りが生じる。このような波形の鈍りは、バンドパスフィルタ１０３の周波数の選択度、すなわちバンドパスフィルタ１０３の性能を上げるほど顕著になる。図３（Ａ）のように、入力信号の時間幅が十分であれば、バンドパスフィルタ１０３は、図３（Ｂ）のように、一定振幅の大きさ（図３では１ｋＨｚ）を有する信号を出力する。しかし、図３（Ｃ）のような時間幅の短い入力信号の場合、バンドパスフィルタ１０３は、図３（Ｄ）のような波形の信号を出力し、信号の振幅の大きさが一定値（図３では１ｋＨｚ）に達する前に、入力信号が終了する。
【００６９】
このように、バンドパスフィルタ１０３に入力される信号の入力時間の幅が十分にとれない場合、マイクロコンピュータ１０５は、周波数の判定に必要な振幅を得られない。一定周波数帯域の周波数をスキャンする速さが速くなるほど、バンドパスフィルタ１０３に入力される信号の時間幅は短くなる。
【００７０】
逆に、上記に述べた入力信号の時間幅を十分に確保しようとすると、１回のスキャンに要する時間が長くなる。
【００７１】
次に、具体例を挙げて説明する。中間周波数は、盗聴器２００が狭帯域の送信機であるので、中間周波数増幅器１０２３の中間周波数の通過帯域幅を２０ｋＨｚとし、盗聴器検出器１００が盗聴器に多く使用されている１３９ＭＨｚから４００ＭＨｚの周波数についてスキャンしたと仮定する。
【００７２】
１ｋＨｚのバンドパスフィルタ１０３が１ｋＨｚの５０波形分の時間で、その信号の振幅が一定値に到達すると仮定した場合、その時間幅は、５０／１０００＝５０×１０−３で５０ｍｓである。中間周波数の通過帯域±２０ｋＨｚが５０ｍｓで通過するためには、５０×１０−３×（４００×１０６−１３９×１０６）／４０×１０３＝３２６．２５ｓとなる。これは、盗聴器検出器１００が３２６．２５ｓかけて１３９ＭＨｚから４００ＭＨｚの周波数帯域をスキャンすることを意味し、１回のスキャンにおよそ５．４分間必要である。
【００７３】
本盗聴器検出器１００は、上記に述べたバンドパスフィルタ１０３における問題点を解決するために、検波器１０４、スキャン部１０６、および切り替え部１０７を有する。
【００７４】
次に、スキャン部１０６、および切り替え部１０７の回路構成例について説明する。
【００７５】
図４は、本実施形態に係るスキャン部１０６、および切り替え部１０７の一構成例を示す回路図である。
【００７６】
スキャン部１０６は、ｐｎｐ型のトランジスタＴＲ１とＴＲ２、抵抗Ｒ１〜Ｒ４、およびノードＮＤ１〜ＮＤ３で構成されている電圧比較部ＣＰＮと、ｐｎｐ型のトランジスタＴＲ３、抵抗Ｒ５〜Ｒ７、ノードＮＤ４、ＮＤ５で構成され、電流ＩＣ３を生成する第１の電流源と、キャパシタＣ１と、電流供給ノードＮＤＩと、電流供給ノードＮＤＩを所定電圧にリセットするためのｎｐｎ型のトランジスタＴＲ４と、ノードＮＤ６を有する。
【００７７】
電圧比較部ＣＰＮの抵抗Ｒ１とＲ２は、電源電位ＶＤＤと接地電位ＧＮＤとの間に直列に接続されている。
【００７８】
そして、トランジスタＴＲ１は、ベースがノードＮＤ１に、エミッタがノードＮＤ２に、コレクタがノードＮＤ３にそれぞれ接続されている。トランジスタＴＲ２は、ベースがノードＮＤ４に、エミッタがノードＮＤ２に、コレクタが接地電位ＧＮＤにそれぞれ接続されている。
【００７９】
抵抗Ｒ３は、電源電位ＶＤＤとノードＮＤ２との間に接続され、抵抗Ｒ４は、接地電位ＧＮＤとノードＮＤ３との間に接続されている。また、ノードＮＤ３は、エンド信号線ＥＮＤＬに接続されている。
【００８０】
抵抗Ｒ５とＲ６は、電源電位ＶＤＤと接地電位ＧＮＤとの間に直列に接続され、抵抗Ｒ７は、電源電位ＶＤＤとトランジスタＴＲ３のエミッタとの間に接続されている。また、キャパシタＣ１は、電流供給ノードＮＤＩと接地電位ＧＮＤとの間に接続されている。さらに、電流供給ノードＮＤＩは、ノードＮＤ６とＮＤ８を介してＶＣＯ制御信号線ＶＣＮＴＬでＶＣＯ１０８と接続されている。
【００８１】
そして、トランジスタＴＲ３は、ベースがノードＮＤ５に、エミッタが抵抗Ｒ７に、コレクタがノードＮＤ４にそれぞれ接続されている。トランジスタＴＲ４は、ベースがリセット信号線ＲＳＴＬでマイクロコンピュータ１０５に、エミッタが接地電位ＧＮＤに、コレクタがノードＮＤ６にそれぞれ接続されている。
【００８２】
切り替え部１０７は、ｐｎｐ型のトランジスタＴＲ５、ノードＮＤ７、ＮＤ８および抵抗Ｒ８〜Ｒ１０で構成され、電流ＩＣ４を生成する第２の電流源と、第２の電流源の電流を供給するか否かを切り替え、スイッチとして動作するｎｐｎ型のトランジスタＴＲ５を有する。
【００８３】
トランジスタＴＲ５は、ベースがノードＮＤ７に、エミッタが抵抗Ｒ８に、コレクタがノードＮＤ８にそれぞれ接続されている。
【００８４】
抵抗Ｒ８は、電源電位ＶＤＤとトランジスタＴＲ５のエミッタとの間に接続されている。また、抵抗Ｒ９と抵抗Ｒ１０は、電源電位ＶＤＤとトランジスタＴＲ６のコレクタとの間に直列に接続されている。
【００８５】
トランジスタＴＲ６は、ベースが切り替え信号線ＣＮＴＬでマイクロコンピュータ１０５に、エミッタが接地電位ＧＮＤに、コレクタが抵抗Ｒ１０にそれぞれ接続されている。
【００８６】
また、ＶＣＯ制御信号線ＶＣＮＴＬは、電流供給ノードＮＤＩの電圧ＶＣＮＴが、リセット信号線ＲＳＴＬにはリセット信号ＲＳＴが、切り替え信号線ＣＮＴＬには切り替え信号ＣＮＴが、エンド信号線ＥＮＤＬには、エンド信号ＥＮＤが、それぞれ伝搬される。
【００８７】
次に、スキャン部１０６、および切り替え部１０７の動作について説明する。
【００８８】
図５は、本実施形態に係る切り替え部、およびスキャン部の動作を説明するためのタイミングチャートである。図５（Ａ）は、電流供給ノードＮＤＩの電圧ＶＣＮＴを、図５（Ｂ）は、エンド信号ＥＮＤを、図５（Ｃ）は、リセット信号ＲＳＴを、図５（Ｄ）は、検出部１０２４の受信レベルを、図５（Ｅ）は、切り替え信号ＣＮＴを、図５（Ｄ）のＬＥＶは受信レベルの一定値をそれぞれ示す。
【００８９】
（第１ステップＳＴ１）
スキャン開始時に、図５（Ｃ）のように、マイクロコンピュータ１０５がリセット信号線ＲＳＴＬにハイレベルのリセット信号ＲＳＴを伝搬させることによって、トランジスタＴＲ４がオンに切り替わり、電流供給ノードＮＤＩの電圧が接地電位ＧＮＤにリセットされ、キャパシタＣ１の電荷が０になる。
【００９０】
その後、図５（Ｃ）のように、マイクロコンピュータ１０５がリセット信号線ＲＳＴＬにローレベルのリセット信号ＲＳＴを伝搬させることによって、トランジスタＴＲ４がオフに切り替わり、図５（Ａ）のように、キャパシタＣ１の充電が開始される。
【００９１】
（第２ステップＳＴ２）
（通常時のスキャン）
マイクロコンピュータ１０５は、検出部１０２４の出力を監視しており、図５（Ｄ）のように、検出部１０２４が出力する受信レベルが一定値（以後、図５の説明ではＬＥＶとする）以下の場合は、図５（Ｅ）のように、切り替え信号線ＣＮＴＬにハイレベルの切り替え信号ＣＮＴを伝搬させることによって、トランジスタＴＲ６がオンに切り替わり、第２の電流源が生成する電流ＩＣ４が電流供給ノードＮＤＩを介して、キャパシタＣ１に供給される。
【００９２】
この時、キャパシタＣ１は、第１および第２の電流源が生成する電流ＩＣ３およびＩＣ４によって充電され、図５（Ａ）のように電流供給ノードＮＤＩの電圧ＶＣＮＴが上昇する。
【００９３】
そして、この電圧ＶＣＮＴは、ＶＣＯ制御信号線ＶＣＮＴＬに伝搬され、ＶＣＯ１０８に出力される。
【００９４】
（低速スキャン）
図５（Ｄ）に示すように、検出部１０２４が出力する受信レベルが一定値以上の場合は、図５（Ｅ）のように、マイクロコンピュータ１０５は、切り替え信号線ＣＮＴＬにローレベルの切り替え信号ＣＮＴを伝搬させることによって、トランジスタＴＲ６がオフに切り替わり、第２の電流源が生成する電流ＩＣ４は電流供給ノードＮＤＩを介して、キャパシタＣ１に供給されない。
【００９５】
この時、キャパシタＣ１は、第１の電流源が生成する電流ＩＣ３のみによって充電され、図５（Ａ）のように電圧ＶＣＮＴが上昇する。この時の電圧ＶＣＮＴの上昇は、キャパシタＣ１を電流ＩＣ３および電流ＩＣ４で充電する通常のスキャン時（第２ステップＳＴ２）と比較して緩やかに上昇する。
【００９６】
そして、この電圧ＶＣＮＴは、ＶＣＯ制御信号線ＶＣＮＴＬに伝搬され、ＶＣＯ１０８に出力される。
【００９７】
（通常時のスキャン）
図５（Ｄ）に示すように、再び検出部１０２４が出力する受信レベルが一定値以下に切り替わったため、図５（Ｅ）のように、マイクロコンピュータ１０５が、再び切り替え信号線ＣＮＴＬにハイレベルの切り替え信号ＣＮＴを伝搬させ、トランジスタＴＲ６がオンに切り替わって、第２の電流源の出力がオンに切り替わる。
【００９８】
この時、キャパシタＣ１は、第１および第２の電流源が生成する電流ＩＣ３およびＩＣ４によって充電され、図５（Ａ）のように電流供給ノードＮＤＩの電圧ＶＣＮＴが上昇する。
【００９９】
そして、この電圧ＶＣＮＴは、ＶＣＯ制御信号線ＶＣＮＴＬに伝搬され、ＶＣＯ１０８に出力される。
【０１００】
（第３ステップＳＴ３）
電圧比較部ＣＰＮは、電流供給ノードＮＤＩの電圧とノードＮＤ１の電圧とを比較する。電流供給ノードＮＤＩの電圧ＶＣＮＴが、抵抗Ｒ１とＲ２による分圧電圧（ノードＮＤ１の電圧）がＶＢ１に達した時、図５（Ｂ）のように、ノードＮＤ３の電位が上昇して、エンド信号線ＥＮＤＬのエンド信号ＥＮＤがハイレベルに切り替わり、ハイレベルのエンド信号ＥＮＤがマイクロコンピュータ１０５に出力される。
【０１０１】
（第４ステップＳＴ４）
図５（Ｃ）のように、マイクロコンピュータ１０５が、再びリセット信号線ＲＳＴＬにハイレベルのリセット信号ＲＳＴを伝搬させることによって、電流供給ノードＮＤＩの電圧が接地電位ＧＮＤにリセットされる。
【０１０２】
以後は、第１ステップＳＴ１から第４ステップＳＴ４を繰り返して、周波数のスキャンを連続的に行う。
【０１０３】
以上説明したように、受信レベルが一定値以下の場合は、切り替え部１０７が、トランジスタＴＲ６をオンに切り替え、キャパシタＣ１の充電を電流ＩＣ３とＩＣ４で充電する（通常のスキャン）。受信レベルが一定値以上の場合は、切り替え部１０７が、トランジスタＴＲ６をオフに切り替え、キャパシタＣ１の充電を受信レベルが一定値以下の場合より少ない電流ＩＣ３のみで充電する（低速スキャン）。
【０１０４】
言い換えれば、受信レベルが一定値以下の場合は、切り替え部１０７が第２の電流源をオンに切り替えることで、キャパシタＣ１が短時間で充電され、盗聴器２００が発信していない周波数帯域を通常時より高速にスキャンする。
【０１０５】
したがって、本実施形態では、受信信号の受信レベルに応じて、切り替え部がスキャン速度を切り替えることで、電波信号に特定の情報が含まれているかを判断する信号処理を行うための十分な時間が確保されるため、ノイズが減少し、スキャン速度が向上する。
【０１０６】
また、本実施形態では、従来技術のＰＬＬのような回路を必要とせず、スキャン部および切り替え部は安価な抵抗、キャパシタ、トランジスタ等の電子部品で実現できる。たとえば、図２に示す受信回路１０２は、一般的な高周波受信用集積回路に含まれており、電波信号の受信レベルを検出する検出部１０２４を新たに設ける必要がない。このため、回路構成が単純になる。
【０１０７】
また、本実施形態に係るトランジスタＴＲ１〜ＴＲ３、ＴＲ５は、回路構成を工夫することにより、ｎｐｎ型のトランジスタを用いることができる。さらに、本実施形態に係るトランジスタＴＲ４、ＴＲ６は、回路構成を工夫することにより、ｐｎｐ型のトランジスタを用いることができる。
【図面の簡単な説明】
【０１０８】
【図１】従来の盗聴器検出器の構成例を示すブロック図である。
【図２】本発明に係る盗聴器検出器の一実施形態を示すブロック図である。
【図３】音声信号が本実施形態に係るバンドパスフィルタを通過する際の、波形の変化を説明するための図である。
【図４】本実施形態に係るスキャン部、および切り替え部の一構成例を示す回路図である。
【図５】本実施形態に係るスキャン部、および切り替え部の動作を説明するためのタイミングチャートである。
【符号の説明】
【０１０９】
１００…盗聴器検出器、１０１…受信アンテナ、１０２…受信回路、１０３…バンドパスフィルタ、１０４、１０４ａ…検波器、１０５…マイクロコンピュータ（ＣＰＵ）、１０６…スキャン部、１０７…切り替え部、１０８…ＶＣＯ、１０９…発信器、１１０…スピーカ、１１１…報知部、１０２１…高周波増幅器、１０２２…混合器、１０２３…中間周波数増幅器、１０２４…検出器、２００…盗聴器、２０１…（盗聴器の）アンテナ、２０２…マイクロフォン、Ｃ１…キャパシタ、ＩＣ３、ＩＣ４…電流源、ＮＤ１〜ＮＤ８…ノード、ＮＤＩ…電流供給ノード、Ｒ１〜Ｒ１０…抵抗、ＴＲ１〜ＴＲ３、ＴＲ５…ｐｎｐ型のトランジスタ、ＴＲ４、ＴＲ６…ｎｐｎ型のトランジスタ、ＶＣＮＴＬ…ＶＣＯ制御信号線、ＲＳＴＬ…リセット信号線、ＣＮＴＬ…切り替え信号線、ＥＮＤＬ…エンド信号線、ＶＣＮＴ…ＶＣＯ制御信号、ＲＳＴ…リセット信号、ＣＮＴ…切り替え信号、ＥＮＤ…エンド信号。
【図１】
2008236555.tif 000003
【図２】
2008236555.tif 000004
【図３】
2008236555.tif 000005
【図４】
2008236555.tif 000006
【図５】
2008236555.tif 000007